(57)【要約】      （修正有）【課題】インテリア用品、障子紙、葉書など色々な用途で、蓄光粉等を利用でき、従来にない趣向に富んだ和紙になり、想像的感性、自然の営みの観点から今の時代忘れ去られた発想で、人としての心のあり方にも貢献出来る和紙を提供する。【解決手段】主原料であるコウゾ、ミツマタなどの靭皮繊維２に、蓄光粉３の蓄光材を付加素材として加え混ぜ合わせて和紙１とする。上記の和紙１により、従来の和紙の文化に、蓄光粉３を加えることにより心の癒し、想像的感性を養い、消費者の自然への素晴らしさの関心が高まり、日本文化の発展と共に、心豊かな人間形成、地球にも優しい効果が最大限得られる。【選択図】図１
0003122422.tif 000002
【実用新案登録請求の範囲】
【請求項１】
和紙の主原料である靭皮繊維と、蓄光材を漉き込むことを特徴とする漉き込み和紙。
【請求項２】
前記靭皮繊維及び蓄光材に、木材その他の植物パルプを加えて漉き込むことを特徴とする請求項１に記載の漉き込み和紙。
【考案の詳細な説明】
【技術分野】
【０００１】
本考案は、蓄光粉等の蓄光材を漉き込んだ和紙に関する。
【背景技術】
【０００２】
和紙の用途は遠い昔から伝わっており、高価ではあるが、襖、障子紙、芸術品等に使われている。現在は、機械抄きの洋紙がほとんどだが、改めて癒しを求めるこの時代に和紙は見直されて来ている。日本の漉き込み和紙の耐久性、美しさ、吸音性は、世界的にも認められている。湿度変化の大きい日本の気候にもっとも適したものである。
【０００３】
和紙を作るのには、原料であるコウゾ、ミツマタなどの植物靭皮を原料とする。釜で蒸し皮をはぐ。皮を乾かし、アルカリ性などの液で煮る。流水や薬品で洗い流し、よくたたき、水とトロロアオイ等を加え、竹棒等で混ぜ合わせる。簀桁（すけた）の手前から前後左右に揺り動かしながら紙を漉く。紙の種類や厚さによってこの作業をくりかえす。湿紙の水を搾り出すために圧搾機などにかけ乾かすと和紙が出来る。
【０００４】
漉き込み和紙は、現在でもおよそこのような方法で作られている。しかし、趣向に富み、産地に貢献出来る和紙はなかった。本考案のように風合いや手触りを崩さずに、太陽光などの太陽エネルギーや蛍光灯などの照明器具の光りのエネルギーを吸収し蓄え長時間光る蓄光粉等を利用して、日本独特の感性、自然への関心、ほのかに浮きいでる光りでの日本の童話的感性、日本の文化を伝えていくことを提供出来る。
【考案の開示】
【考案が解決しようとする課題】
【０００５】
上記のように、漉き込み和紙は主原料によって強い紙、緻密な紙、艶のある紙が出来、風合い、手触りで癒し効果もあるという現在にはぴったりな用途、特徴があり、このような性質を生かす方向で、今日も用途に合った紙漉き方法が改良されている。
【０００６】
和紙を使った襖、障子、葉書などのデザインはとてもシンプルあるが、そこに蓄光粉等を漉き込むことにより、遊び心ある心豊かな生活を演出出来る。
【０００７】
主原料のコウゾ、ミツマタなどの靭皮繊維と、太陽光などの太陽エネルギーや蛍光灯などの照明器具の光りのエネルギーを吸収し蓄え長時間光る蓄光粉等とを混ぜ合わせることにより、夜、電気を消すと、星空や蛍をイメージさせた蓄光粉等の光が輝きだす神秘的、メルヘンをかもしだすことを特徴とする和紙を演出出来る。
【０００８】
以上のとおりであるから、蓄光粉等は、想像的感性を養い、道徳的感性、物への愛情、太陽のエネルギーへの感謝、日本の伝統文化への関心という点から見ると違った観点になる。
【０００９】
また蓄光粉等の蓄光材は、大きく分けると硫化物と酸化物の二種類がある。硫化物は基本的に硫化亜鉛に銅を結合させたものであり、発色は数種類あるが初期輝度が低く残光が短い。酸化物はアルミン酸ストロンチウムに他の金属を結合させたものであり、発色は二種類系の色で初期輝度が高く残光が長い。また放射線物質などの有害物質は含まれてはいない。耐用年数は天然の鉱物を主原料としている無機質素材であるため半永久的であり、発光は繰り返し行われる。
【００１０】
上記の蓄光材は現在、非難誘導表示板、アクセサリなどはあるが、蓄光材の中でも粉状にした蓄光粉等を使用し、日本の伝統文化に触れるものは存在していなかった。
【００１１】
上記のように、今までの漉き込み和紙は視覚的には癒し効果があったが、未来のことまでは想像していなかった。
本考案は、上記の和紙の製造工程はそのままで、襖、障子紙、壁紙、葉書、コースター等、無限にひらめく用途で、蓄光粉等を漉き合わせることにより、視覚的癒し効果はもちろんのこと、想像的感性での癒し効果、または童話的感性でそこから親子や恋人の会話が生まれ、心豊かに育つ効果も含め、日本の伝統文化への貢献が出来る。想像的感性で心優しい子が育ってくれること、新しさを取り入れ日本ならではの演出が出来、新しい視野から和紙を提供し、蓄光粉等を混ぜ合わせることにより、想像的感性を生む和紙を提供することを目的としている。
【課題を解決するための手段】
【００１２】
本考案の漉き込み和紙は、コウゾ、ミツマタなどの靭皮繊維を主原料とし、これに蓄光粉等を付加素材として加えることを特徴とする和紙である。
【００１３】
また、用途に合わせ和紙の主原料のコウゾ、ミツマタなどの靭皮繊維と、蓄光粉等に、木材その他の植物パルプを漉き合わせることにより、主原料のコウゾ、ミツマタなどの靭皮繊維１００％よりも低価格の商品も出来る。これら蓄光粉等と漉き合わせる主原料は、靭皮繊維、木材その他の植物パルプは単独で用いても良い。
【考案の効果】
【００１４】
上記のように本考案は、靭皮繊維と蓄光粉等を用いて漉き込み工程を経た和紙としたので次のような効果を奏する。
（１）きわめて趣向性に富んでいる。
（２）色彩的に豊富なパターンが備わっている。
（３）想像的感性が養われる。
（４）人と人の間に会話が生まれる。
（５）太陽光エネルギーについても感心が高まる。
（６）日本はもとより、世界に日本伝統文化の良さを提供出来る。
（７）産地の商品としても貢献出来る。
【考案を実施するための最良の形態】
【００１５】
本考案の漉き込み和紙は、主原料である靭皮繊維に付加素材の蓄光粉等を漉き込むことにより、従来の和紙の伝統文化に更に、日本の心、想像的感性、色彩を取り入れた和紙であり、日本の伝統文化への貢献が出来る特徴がある。
【００１６】
主原料である和紙の靭皮繊維を、漉き合わせる製造工程は従来通りで良い。用途に応じて手漉き和紙、機械抄き和紙どちらにも使うことも出来る。
【００１７】
付加素材の蓄光粉等の水に溶けない性質を利用し、星空、蛍をイメージさせ、粉の粒子を大きくすることにより発光時間が長時間確保出来理想である。蓄光粉等はイメージに合わせ、蓄光材の粒子を大きくしたもの、液状のものを吹きつけ、また漉き合わせることも出来る。また和紙の主原料に対して蓄光粉等が約１００％以上になると和紙への風合いが落ちる。付加素材の蓄光粉等の比率によって色彩豊かな表現を演出出来、商品のイメージは無限である。
【００１８】
また用途に合わせ付加素材の蓄光粉等は、和紙の主原料のコウゾ、ミツマタなどの靭皮繊維または、木材その他の植物パルプの原料にそれぞれ単独で用いて漉き合わせることも出来る。
【実施例】
【００１９】
以下、考案の実施例を図面に基づいて説明する。
図１において、１は本考案和紙の全体を示す平面図である。この和紙１は、コウゾ２を主原料として、蓄光粉３を、前記主原料コウゾ２に対し、それぞれ５％漉き込んだ構成としてある。蓄光粉３としては様々なものが使用出来るが、ここでは一実施例とアルミン酸ストロンチウムを主成分としたほぼ粒子状に近い状態の蓄光粉を使用した。
【００２０】
上記和紙１において、蓄光粉３が一箇所に集合ないしは固まらないように、和紙を漉く工程で主原料であるコウゾ２に水を加え良く攪拌する。その後、粘剤と蓄光粉３を加え良く攪拌する。蓄光粉３は比重が水よりおもいため、和紙を漉く工程でも良く攪拌しながら流し込む。
【００２１】
図１はコウゾを主原料とし、蓄光粉を主原料に対し５％漉き込んだ本考案の漉き込み和紙である。
【００２２】
このように新しい発想、デザインの漉き込み和紙は、従来の和紙とは表現方法が異なり、存在感があふれ、日本の伝統文化を大切にし、部屋の中にこのような商品があることで親子、恋人の会話が弾み、また心豊かな子供達に育ってくれることを期待している。これらの特徴を活かす最大の用途としては、インテリア用品、照明器具、襖、障子紙、葉書、コースター、壁紙等などが挙げられるが、さらに多くの用途に期待が出来、利用出来る。
【図面の簡単な説明】
【００２３】
【図１】本考案の漉き込み和紙の平面図である。
【符号の説明】
【００２４】
１  和紙全体
２  靭皮繊維
３  蓄光粉
【図１】
0003122422.tif 000003